(57)【要約】【課題】ディジタル放送に完全に移行した後も使用することが可能であり、且つ放送が割り当てられていないチャネルを誤って録画した場合でも、再生時に画面上で視覚的に放送が録画されていないことを表示することが可能なディジタル放送対応テレビジョンの提供を目的とする。【解決手段】ディジタル放送の録画予約をした際、マイコン１２ｂが録画予約したチャネルに放送が割り当てられていないことをＥＥＰＲＯＭ１２ｃに記録された無放送判断プログラムによりマイコン１２ｂが判断すると、録画予約をキャンセルしＨＤＤ１７にアナログ放送により生成したサンドストーム画面を記録させる。【選択図】図３
2008042844.tif 000002
【特許請求の範囲】
【請求項１】
ディジタル放送を受信するディジタル放送受信部と、アナログ放送を受信するアナログ放送受信部とから成り、上記ディジタル放送受信部とアナログ放送受信部とを切り替えることでアナログ放送とディジタル放送のいずれかを受信するチューナ部と、
上記チューナ部が受信したアナログ放送又はディジタル放送を録画可能なＨＤＤと、
所定の処理を行うマイコンと、上記マイコンが処理を実行するためのプログラムを記録するＥＥＰＲＯＭとから成り、上記チューナ部を制御してアナログ放送かディジタル放送の受信を切り替えるとともに、上記チューナ部が受信した放送を上記ＨＤＤに録画する指示を出す制御部とを有するディジタル放送対応テレビジョンにおいて、
上記ＥＥＰＲＯＭは、上記マイコンがディジタル放送に重畳されて送信された電子番組表を基に、録画予約されたチャネルに放送が割り当てられているかを判断し、上記マイコンが上記録画予約されたチャネルに放送が割り当てられていないと判断した場合は、上記マイコンが上記チューナ部にディジタル放送受信部からアナログ放送受信部に切り替え、アナログ放送からサンドストーム画面を生成させて上記ＨＤＤに上記サンドストーム画面を記録させる無放送表示プログラムを記録し、
上記マイコンにより放送が割り当てられていないと判断されたチャネルを再生する際、上記サンドストーム画面を画面上に表示することにより、ユーザに放送が何も録画されていないことを表示することを特徴とするディジタル放送対応テレビジョン。
【請求項２】
ディジタル放送をチューナ部にて受信するとともに、上記チューナ部が受信したディジタル放送を記録手段に録画可能なディジタル放送対応テレビジョンにおいて、
録画予約されたチャネルに放送が割り当てられているかを判断する放送判断手段と、
上記放送判断手段が上記録画予約されたチャネルに放送が割り当てられていないと判断した場合は、無放送判断画面を上記記録手段に記録させるよう上記チューナ部を制御して上記記録手段に上記無放送判断画面を記録させる表示手段とを有し、
録画した上記放送が割り当てられていないチャネルを再生する際、上記無放送判断画面の表示によりユーザに放送が何も録画されていないことを表示することを特徴とするディジタル放送対応テレビジョン。
【請求項３】
上記放送判断手段は、ディジタル放送により送信される電子番組表を参照し、録画予約されたチャネルに放送が割り当てられているかを判断することを特徴とする請求項２に記載のディジタル放送対応テレビジョン。
【請求項４】
上記表示手段は、上記放送判断手段が録画予約されたチャネルに放送が割り当てられていないと判断した場合は、上記チューナ部が受信する放送をディジタル放送からアナログ放送に切り替え、アナログ放送からサンドストーム画面を選択して無放送判断画面として表示することを特徴とする請求項２または請求項３のいずれかに記載のディジタル放送対応テレビジョン。
【請求項５】
上記表示手段は、上記放送判断手段が録画予約されたチャンネルに放送が割り当てられていないと判断した場合は、予め記録したサンドストーム画面を上記記録手段に記録させることを特徴とする請求項２または請求項３のいずれかに記載のディジタル放送対応テレビジョン。
【請求項６】
上記表示手段は、上記放送判断手段が録画予約されたチャンネルに放送が割り当てられていないと判断した場合は、録画予約を行ったチャネルに番組が何も割り当てられていないことを文字列にて表す画面を上記記録手段に記録させることを特徴とする請求項２または請求項３のいずれかに記載のディジタル放送対応テレビジョン。
【発明の詳細な説明】
【技術分野】
【０００１】
本発明は、ディジタル放送対応テレビジョンに関し、特に、ディジタル放送を録画することが可能なテレビジョンに関する。 
【背景技術】
【０００２】
従来、アナログテレビジョン放送において、放送番組がないチャネルを選択した場合、図６に示すような画面が表示されていた。図６は、画面に表示されるサンドストーム（砂嵐）を表した図である。テレビジョン放送は、地域ごとに放送が流れているチャネルが決められており、ユーザが仮に放送が割り当てられないチャネルを選択した場合はサンドストームが表示されることとなる。サンドストームはテレビジョン装置のチューナの機能により発生する現象である。テレビジョン放送は、放送局から放送される所定の映像データや音声データを搬送波に乗せて各家庭まで送信する。上記した搬送波を家庭に据え付けられたアンテナで受信すると、テレビジョン装置に実装されたチューナ部は、搬送波から映像信号と音声信号を分離する。具体的にはチューナ部は、内部回路の共振を利用して搬送波に合成された映像信号や音声信号だけを増幅して搬送波と分離して取り出す。
【０００３】
このとき、チューナ部が映像信号や音声信号が何も合成されていない搬送波や、搬送波ではないが周波数帯が近い電波（ノイズ）を受信すると、チューナ部はあたかも通常のテレビジョン電波を受信したと誤動作し、受信したノイズから共振によってデータを抽出しようとする。そのため、当然チューナ部が受信した電波には映像信号や音声信号が合成されておらず、その代わりチューナ部は設定により受信するはずの周波数に近い周波数帯を共振により増幅させ搬送波から分離する。チューナ部により分離された電波は当然映像信号や音声信号ではないため、テレビジョン装置にて表示された映像は意味を持たない画像を表示させ、これがサンドストームとなる。
【０００４】
上述したサンドストームには、ユーザが選択した番組が放送が割り当てられていないこと視覚的に知らせるという利点がある。具体的には、ユーザが番組が割り当てられていないチャネルを表示または記録媒体に録画した場合、再生した映像にはサンドストームが表示される。これによりユーザは、自分が選択したチャネルが予め番組が割り当てられていないことを認識することができる。さらに、選択したチャネルに番組が割り当てられているのに、画面にサンドストームが表示される場合はチューナ部の設定の異常を認識することができる。
【０００５】
しかしながら現在、テレビジョン放送はアナログ放送からディジタル放送への移行段階を迎えている。ディジタル放送は、受信したデータを一端ディジタル信号に変換して記録領域に記録させ、ユーザからの指示に基づいて記録したデータを画面に表示する。さらには、放送データを圧縮させて搬送波に乗せて各家庭に送信し、テレビジョン装置で再度圧縮を解凍させるため放送データの容量を大きくすることが可能となり、一つの搬送波に複数の放送データを合成することが可能となる。このようなディジタル放送においては、チューナ部は放送データをディジタル信号として扱うため、アナログ放送の場合のようにサンドストームを画面に表示させることはない。
【０００６】
しかしながら、上述したディジタル放送においても放送が割り当てられないチャネルは以前として存在している。しかも、ディジタル放送は一つの搬送波に複数の番組を重畳して送信するためチャネル数が非常に多くなる。ユーザが放送が割り当てられないチャネルを選択した場合、チューナ部は放送データをディジタル信号として取り扱うため、選択したチャネルにはディジタルデータが何も割り当てられない。そのため画面には何も表示されず、画面一面が黒く塗りつぶされた状態となる。このような場合、画面を見たユーザは、テレビジョン装置側の故障と勘違いする場合がある。何故なら、現在はディジタル放送の移行期であり、ユーザの脳裏には放送が振り分けられていないチャネルを選択した場合は、上述したサンドストーム画面に表示された記憶が残っている。そのため、ユーザは、画面に映像が何も表示されないのをテレビジョン装置の故障と誤認し、場合によってはクレームの対象となることもあった。
【０００７】
ディジタル放送を記録する際、予約したチャネルに放送が割り当てられてない場合、同じ放送を流してしるアナログ放送を選択して記録することで、録画のミスを防止する方法が開示されている。上記機能を実現するため、ディジタル放送を受信する第一放送手段とアナログ放送を受信する第二放送手段と、録画時の放送を判断する制御手段と、第一放送手段と第二放送手段のいずれかを切り替える切り替え手段と、映像を記録するための記録手段とを有する構成である。上記構成により、第一放送手段で放送された放送が制御手段により放送が行われていないと判断された場合は、同様な放送をおこなっているアナログ放送を選択するよう切り替え手段により第二放送手段に切り替え記録手段にて記録する。（例えば、特許文献１参照。）。
【０００８】
また、アナログ放送信号とディジタル放送信号を一つのメニュー画面で録画できる方法が開示されている。上記機能を実現するために、ディジタル放送を受信するディジタル受信器と、アナログ放送を受信するアナログ受信器と、ディジタル放送データとアナログ放送データとを格納（記録）する格納部と、ユーザからの操作によって対応するアナログ放送またはディジタル放送のいずれかを選択する制御部とを有す構成である。上記構成により、制御部はユーザからの放送選択指示に対応するディジタル放送とアナログ放送のいずれかを選択して録画する。（例えば、特許文献２参照。）。
【特許文献１】特開２００５−３５４５７０
【特許文献２】特開２００５−２６０９４１
【発明の開示】
【発明が解決しようとする課題】
【０００９】
上述した特許文献１および請求項２発明は次のような課題があった。つまり、現在のディジタル放送移行期にしか対応ができない発明である。つまり、いずれの発明もディジタル放送とアナログ放送で同一の番組が放送されることを前提条件としている。そのためテレビジョン放送がディジタル放送に完全に移行した以後は、当然アナログ放送は消滅するため上記２つの発明は利用することができなくなる。それゆえディジタル放送に完全に移行した後は、ディジタル放送が割り当てられていないチャネルを録画した際、録画された映像を見てユーザがテレビジョン装置の故障と誤解する問題をなんら解決しない。
【００１０】
本発明は、上記課題にかんがみてなされたもので、ディジタル放送に完全に移行した後も使用することが可能であり、且つ放送が割り当てられていないチャネルを誤って録画した場合でも、再生時に画面上で視覚的に放送が録画されていないことを表示することが可能なディジタル放送対応テレビジョンの提供を目的とする。
【課題を解決するための手段】
【００１１】
また、上記目的を達成するために、請求項２に記載のディジタル放送対応テレビジョンでは、ディジタル放送をチューナ部にて受信するとともに、上記チューナ部が受信したディジタル放送を記録手段に録画可能なディジタル放送対応テレビジョンにおいて、
録画予約されたチャネルに放送が割り当てられているかを判断する放送判断手段と、上記放送判断手段が上記録画予約されたチャネルに放送が割り当てられていないと判断した場合は、無放送判断画面を上記記録手段に記録させるよう上記チューナ部を制御して上記記録手段に上記無放送判断画面を記録させる表示手段とを有し、録画した上記放送が割り当てられていないチャネルを再生する際、上記無放送判断画面の表示によりユーザに放送が何も録画されていないことを表示する構成としてある。
【００１２】
上記のように構成したディジタル放送対応テレビジョンでは、放送判断手段は録画予約がされたチャネルに放送が割り当てられているかの判断を行い、上記チャネルに放送が割り当てられていないと判断した場合は、表示手段が画面上に無放送判断画面を記録手段に記録させる。これにより、録画したチャネルを再生した際、画面に上記無放送判断画面が表示されて放送が何も録画されていないことを表示する。そのため、ユーザは録画された画面を見ることで予約したチャネルには何も放送が選択されていないことを理解し、テレビジョン装置自体の故障という誤解を防止することができる。また、チューナ部の適切な設定が行われていない場合は、チューナ部のプリセットを行う合図にもなる。
【００１３】
上述した放送判断手段の具体的な構成としては、マイコンを用いて行う方法が上げられる。その場合、放送判断手段が録画していないチャネルに放送が判断されていないことを判断する方法の一例として、請求項３にかかる発明では、上記放送判断手段は、ディジタル放送により送信される電子番組表を参照し、録画予約されたチャネルに放送が割り当てられているかを判断する構成としてある。
【００１４】
上記のように構成した発明では、放送判断手段はディジタル放送に重畳されて送信される電子番組表を参照することで、録画予約されたチャネルに番組が割り当てられているかどうかを判断する。電子番組表は所定周期で随時更新されて送信されるため、このような電子番組表を参照することにより放送判断手段は、正確にチャネルに放送が割り当てられているかを判断することができ、リアルタイムなチャネルの変更に対応することが可能となる。
【００１５】
さらに、表示手段が記録手段に記録させる無放送判断画面の一例として、請求項４にかかる発明では、上記表示手段は、上記放送判断手段が録画予約されたチャネルに放送が割り当てられていないと判断した場合は、上記チューナ部が受信する放送をディジタル放送からアナログ放送に切り替え、アナログ放送からサンドストーム画面を選択して無放送判断画面として表示する構成としてある。表示手段の具体的な構成としては、マイコンにて実行されるプログラムにて実行されるものであってもよいし、放送判断手段からの所定の信号による指示に基づいて起動する回路を用いて実行するもであってもよい。
【００１６】
上記のように構成した発明では、録画状態において、放送判断手段が現在チューナ部が受信しているチャネルが放送が割り当てられていないと判断すると、表示手段は、チューナ部の受信をディジタル放送からアナログ放送に切り替えるとともに、アナログ放送からサンドストーム画面を選択して記録手段に記録させる。このため、録画画面の再生時にはサンドストーム画面のみが再生されるため、ユーザは放送が何も録画されていないことを判断することが容易となる。上述したチューナ部が選択するサンドストーム画面の生成方法としては、予めチューナ部に放送が何も割り当てられていないアナログ放送のチャネルを選択するよう設定しておき、放送判断手段の指示に基づいてチューナ部に上記チャネルを選択させる構成としてもいい。
【００１７】
さらに、表示手段が記録手段に記録させる無放送判断画面の他の例として請求項５にかかる発明は、上記表示手段は上記放送判断手段が録画予約されたチャンネルに放送が割り当てられていないと判断した場合は、予め記録したサンドストーム画面を上記記録手段に記録させる構成としてある。
上記のように構成した発明では、放送判断手段が録画予約されたチャネルに番組が割り当てられていないと判断すると、画像データとしてのサンドストーム画面を上記記録手段に記録させることで、再生時の放送が録画されていないことを表示する。
【００１８】
このためチューナ部を切り替えてアナログ放送からサンドストーム画面を構成する必要がないため、表示手段の機能を実現するための構成を簡素化することが可能となる。また、チューナ部がアナログ放送を受信できないテレビジョン装置でも適応することが可能となる。上述したサンドストーム画面を記録する場所としては、予め記録手段に記録しておき、表示手段からの指示に基づいて記録手段に記録させる方法としてもよいし、記録手段とは別の記録媒体に記録されたものを記録手段に送信する構成としてもよい。
【００１９】
さらに、表示手段が記録手段に記録させる無放送判断画面の他の例として請求項６にかかる発明は、上記表示手段は、上記放送判断手段が録画予約されたチャンネルに放送が割り当てられていないと判断した場合は、録画予約を行ったチャネルに番組が何も割り当てられていないことを文字列にて表す画面を上記記録手段に記録させる構成としてある。
上記のように構成した発明では、表示手段は予め記録された文字列を記録手段に記録させることで、再生時の放送が録画されていないことを表示する。
【００２０】
表示される文字列としては、放送が録画されていないことを表示できるものであればよく、一例としては「放送がありません」または「チューナ部の設定を行ってください」等の文字列を表示するものであればよい。そのため、ユーザは録画されたチャネルを再生する際、上述した文字列にて放送が録画されていないことを的確に判断することが可能となる。
【００２１】
また、本発明の具体的な実施の形態の一例として請求項１の発明は、ディジタル放送を受信するディジタル放送受信部と、アナログ放送を受信するアナログ放送受信部とから成り、上記ディジタル放送受信部とアナログ放送受信部とを切り替えることでアナログ放送とディジタル放送のいずれかを受信するチューナ部と、上記チューナ部が受信したアナログ放送又はディジタル放送を録画可能なＨＤＤと、所定の処理を行うマイコンと、上記マイコンが処理を実行するためのプログラムを記録するＥＥＰＲＯＭとから成り、上記チューナ部を制御してアナログ放送かディジタル放送の受信を切り替えるとともに、上記チューナ部が受信した放送を上記ＨＤＤに録画する指示を出す制御部とを有するディジタル放送対応テレビジョンにおいて、
上記ＥＥＰＲＯＭは、上記マイコンがディジタル放送に重畳されて送信された電子番組表を基に、録画予約されたチャネルに放送が割り当てられているかを判断し、上記マイコンが上記録画予約されたチャネルに放送が割り当てられていないと判断した場合は、上記マイコンが上記チューナ部にディジタル放送受信部からアナログ放送受信部に切り替え、アナログ放送からサンドストーム画面を生成させて上記ＨＤＤに上記サンドストーム画面を記録させる無放送表示プログラムを記録し、上記マイコンにより放送が割り当てられていないと判断されたチャネルを再生する際、上記サンドストーム画面を画面上に表示することにより、ユーザに放送が何も録画されていないことを表示する構成としている。
【発明の効果】
【００２２】
以上説明したように本発明によれば、ディジタル放送に完全に移行した後も使用することが可能であり、且つ放送が割り当てられていないチャネルを誤って録画した場合でも、再生時に画面上で視覚的に放送が録画されていないことを表示することが可能なディジタル放送対応テレビジョンを提供することができる。
また請求項３にかかる発明によれば、電子番組表を利用することでリアルタイムなチャネルの変更に対応することが可能となる。
そして請求項４にかかる発明によれば、録画画面の再生時にはサンドストーム画面のみが再生されるため、ユーザは放送が何も録画されていないことを判断することが容易となる。
また請求項５、請求項６にかかる発明によれば、画像データを使用するので、ディジタル放送のみを受信するテレビジョン装置にも応用することができる。
さらに請求項１のような、より具体的な構成において、上述した請求項２〜請求項６の各発明と同様の作用を奏することはいうまでもない。
【発明を実施するための最良の形態】
【００２３】
本発明の具体的な説明として、以下ディジタル放送対応テレビジョンを基に以下の項目に従って説明を行う。
（１）第一の実施の形態
（２）第一の実施の形態のまとめ
（３）第二の実施の形態
（４）第二の実施の形態のまとめ
【００２４】
（１）第一の実施の形態
以下、図１〜図３を参照して、この発明に係るディジタル放送対応テレビジョンを具体化した第１の実施の形態について説明する。図１は、ディジタル放送対応テレビジョン１０のブロック構成部である。同図よりディジタル放送対応テレビジョン１０は映像表示装置２０とリモコン装置３０とから構成されている。ディジタル放送対応テレビジョン１０は、アナログ放送やディジタル放送を受信するとともに、受信したアナログ放送やディジタル放送を内部に録画して、上記録画したデータをユーザからの指示により画面に再生することが可能である。そのため、映像表示装置２０は、ディジタル放送とアナログ放送を受信可能なチューナ部１１と、映像表示装置２０の動作を制御する制御部１２と、チューナ部１１が受信した映像信号に所定の信号処理を行う映像回路１３と、チューナ部１１が受信した音声信号に所定の処理を行う音声回路１４と、映像回路１３が信号処理を行った映像信号を一時的に記録するバッファ１５と、映像信号により映像を表示する表示パネル１８と、映像信号と音声信号を記録する記録手段としてのＨＤＤ１７、音声信号を出力するスピーカ１６、電源を供給するための電源回路１９とを有する構成である。
【００２５】
上述した構成により、ディジタル放送対応テレビジョン１０は、ユーザのリモコン装置３０の操作により出力される赤外線信号を制御部１２が受光し、チューナ部１１にディジタル放送かアナログ放送のいずれかを受信するよう指示を出す。チューナ部１１は制御部から指示を受け取り受信したディジタル放送またはディジタル放送のいずれかから映像信号と音声信号を分離し、映像信号を映像回路１３にまた音声信号を音声回路１４に出力する。また、リモコン装置３０により録画予約の指示がだされた場合は、チューナ部１１は制御部１２の指示に基づいて受信したディジタル放送またはアナログ放送をバッファ１５を介してＨＤＤ１７に記録する。
【００２６】
また、録画さえた映像を再生する場合は、リモコン装置３０の指示により、制御部１２はＨＤＤ１７に指示を出し、ＨＤＤ１７に記録された映像信号および音声信号をそれぞれ映像回路１３と音声回路１４とに出力させる。映像回路１３は送信された映像信号に所定の信号処理を行い表示パネル１８に出力し映像を表示させる。音声回路１４は同様に入力された音声信号に所定の信号処理を行いスピーカ１６にて音声として出力させる。本発明の実施の形態での表示パネル１８としては、ＰＤＰや液晶パネル等の薄型パネルにて実施すればよい。しかしながら、表示パネルの種類は本発明の機能とは直接の関係を有さないためブラウン管型パネルのような薄型でないものであってもよい。
【００２７】
上述したディジタル放送対応テレビジョン１０の機能の制御を行うために、制御部１２は、リモコン装置３０から送信された赤外線信号を受光して所定の電圧を有する操作信号に変換するリモコンＩ／Ｆ１２ａと、上記操作信号を受信して映像表示装置２０を制御する中枢として機能するマイコン１２ｂと、マイコン１２ｂが制御を行うためのプログラムを記録するＥＥＰＲＯＭ１２ｃと、マイコン１２ｂからの指示を受けて画面に操作設定のためのメニュー画面を表示するＯＳＤ回路１２ｄとを有している。制御部１２と、チューナ部１１、映像回路１３、さらには音声回路１４はバス２０ａにて互いに連結しており、バス２０ａを介して信号やデータのやり取りを行う。これにより、マイコン１２ｂは制御信号やデータ並びにプログラムの読み出しをバスを介して入出力し映像表示装置２０の制御を行う。
【００２８】
具体的な制御部１２の作用として、ユーザがリモコン装置３０を操作してディジタル放送の所定のチャネルを選択した場合、上記したチャネル切替指示に対応した赤外線信号を受光したリモコンＩ／Ｆ１２ａは、受光した赤外線信号を操作信号に変換してマイコン１２ｂに出力する。マイコン１２ｂは、送信された操作信号に基づいてＥＥＰＲＯＭ１２ｃに記録された各プログラムをバス２０ａを介して読み出し、読み出したプログラムにしたがって操作信号をバス２０ａを介して出力する。チャネルの切替や電源のオン／オフ等の通常動作はディジタル放送対応テレビジョン１０の機能としては通常動作であるため、上記した機能を制御するためのプログラムはマイコン１２ｂに読み出され常に起動されている。逆に通常動作ではない機能（メニュー画面、録画予約等）の実現の場合は、マイコン１２ｂは上記した通常プログラムのステップからジャンプして新たなプログラムの読み出しとプログラムに沿った処理を実行する。
【００２９】
上記した状態でマイコン１２ｂからチューナ部１１にディジタル放送のチャンネルを選択するよう指示を受けると、チューナ部１１はアンテナ４０が受信したディジタル放送とアナログ放送から映像信号と音声信号を分離して出力する。そのため、チューナ部１１は、ディジタル放送を受信するディジタル放送受信部１１ａと、アナログ放送を受信するアナログ放送受信部１１ｂと、制御部１２からの指示に基づいてディジタル放送受信部１１ａが受信した映像信号（音声信号）とアナログ放送受信部１１ｂが受信した映像信号（音声信号）とを切り替えて映像回路１３と音声回路１４とに出力する切り替え部１１ｃとを有する構成である。また、切り替え部１１ｃは、制御部１２から指示に基づいて上記選択した映像信号（音声信号）を映像回路１３（音声回路１４）に出力するかバッファ１５に出力するかを切り替える。上述したようにチューナ部１１と映像回路１３、並びにバッファ１５はバス２０ａにより連結しており、バス２０ａを介して制御部１２から出力先のアドレスとデータの指示を受けることにより、チューナ部１１から出力される出力先を切り替えることは可能である。また、上述したバス２０ａによる出力先の変更を制御部１２から出力される制御信号により切り替えるものであっても問題はない。
【００３０】
上述した構成によりチューナ部１１は、リモコン装置３０から例えばチャンネルキー３０ａ１を操作してディジタル放送を画面に表示するよう制御部１２から操作信号が送信されると、切り替え部１１ｃは、出力端子をディジタル放送受信部１１ａと接続しバス２０ａを介して映像回路１３に出力する。これにより映像信号（音声信号）はバス２０ａを介して映像回路１３（音声回路１４）に出力される。また、リモコン装置３０からアナログ放送を表示するよう指示を受けると、切り替え部１１ｃの出力端子をアナログ放送受信部１１ｂと接続することにより受信したアナログ放送を出力する。
【００３１】
さらに、リモコン装置３０を用いて所定のチャネルをＨＤＤ１７に記録することも可能である。この場合、ユーザは、電子番組表を用いてチャネルの録画予約を行うことができる。電子番組表はディジタル放送に重畳されて送信され、送信された電子番組表はＲＡＭ１２ｅに記録／更新を行う。図２は、画面に表示される電子番組表の一例を表す図である。同図より、左端の列が放送時間帯とし各行がチャネルを表している。電子番組表の仕組みは周知技術でありここでは簡略的な説明に留める。ユーザがリモコン装置３０を用いて、画面に選択された電子番組表を選択すると、マイコン１２ｂは電子番組表に基づいて録画設定を行う。
【００３２】
リモコン装置３０から録画予約を指示する操作信号を制御部１２が受け付けた場合は、録画予約時間が訪れると、チューナ部１１は録画予約されたチャネルを受信し、切り替え部１１ｃの出力先をバッファ１５として映像信号（音声信号）をバッファ１５に出力する。バッファ１５に出力された映像信号と音声信号は一端ＪＰＥＧ方式の圧縮を実施されＨＤＤ１７の所定のアドレスに記録される。録画された映像データを再生する場合は、制御部１２の指示によりＨＤＤ１７に記録された映像データを再度バッファ１５に出力し、バッファ１５にて圧縮解凍を行い映像回路１３に出力する。本発明の実施の形態では記録手段をＨＤＤ１７により実現している。しかしながら、録画再生装置と接続してＤＶＤメディア等の記録媒体に記録させるものであってもよい。
【００３３】
上述した録画予約の場面で、録画予約を行ったチャネルに放送が割り当てられていない場合が存在する。この場合、制御部１２は以下の方法で録画されたチャネルの再生時に、表示パネル１８に無放送判断画面を表示することによりユーザに放送が録画されていないことを知らせる。このため、制御部１２は、ＥＥＰＲＯＭ１２ｃに録画予約されたチャネルに放送が割り当てられていないことをマイコン１２ｂが判断するための無放送判断プログラムを記録し、ユーザが録画したチャネルを再生する際無放送判断画面を表示して放送が録画されていないことを表示する機能を有している。これによりマイコン１２ｂは無放送判断プログラムにより放送判断手段と表示手段の機能を実現する。
【００３４】
図３は、ＥＥＰＲＯＭ１２ｃに記録される無放送判断プログラムを表すフローチャートである。制御部１２の通常モード中に、リモコン装置３０により録画予約がなされると、マイコン１２ｂはＥＥＰＲＯＭ１２ｃに記録された無放送判断プログラムを読み出す。ＥＥＰＲＯＭ１２ｃに記録された無放送判断プログラムの読み出しタイミングとしては、ユーザによる録画予約ななされた直後であっても良いし、録画が設定された時間の数分前に読み出すものであってもよい。後述する電子番組表は所定時間で更新されてディジタル放送に重畳されて送信されるため、録画時間の直前にプログラムを読み出すことでリアルタイムな番組の変更にも対応することが可能となる。
【００３５】
マイコン１２ｂが無放送判断プログラムを読み出すと、まずマイコン１２ｂはリモコン装置３０からの指示による録画予約を参照する（ステップＳ１００）。通常録画予約の設定はメニュー画面上でリモコン装置３０を用いて行われ、入力された録画予約の設定はＥＥＰＲＯＭ１２ｃに記録される。そのため、マイコン１２ｂはＥＥＰＲＯＭ１２ｂに記録された上記録画予約を参照してＲＡＭ１２ｅに記録する（ステップＳ１１０）。次に、マイコン１２ｂは、電子番組表を読み出す（ステップＳ１２０）。さらに、マイコン１２ｂはＲＡＭ１２ｅに記録した録画予約設定に対応する、電子番組表の時間帯とチャンネルを参照し（ステップＳ１３０）、録画予約チャネルに番組が割り当てられているかどうかの判断を行う（ステップＳ１４０）。
【００３６】
このとき、参照した電子番組表により、録画予約した時間とチャネルに放送が割り当てられている場合は、無放送判断プログラムを終了し通常の起動プログラムに戻る。逆に録画予約したチャネルに放送が割り当てられていない場合は、録画予約をキャンセルする（ステップＳ１５０）。さらに、マイコン１２ｂはチューナ部１１の切替え部１１ｃの接続をディジタル放送受信部１１ａからアナログ放送受信部１１ｂに切り替え、アナログ放送であるサンドストーム画面を生成させる（ステップＳ１６０）。このとき、チューナ部１１のアナログ放送受信部１１ｂはステップＳ１６０でのマイコン１２ｂの指示を受けて、放送が割り当てられていないチャネル（周波数帯）を受信することにより図６に表すサンドストーム画面を表示する。そのため、アナログ放送受信部１１ｂは、ステップＳ１６０でのマイコン１２ｂからの指示により放送が割り当てられていないチャネルを受信するよう設定する。
【００３７】
マイコン１２ｂは、上述した方法で生成したサンドストーム画面をＨＤＤ１７に記録させるよう制御する（ステップＳ１７０）。このとき、サンドストーム画面をＨＤＤ１７に記録させる時間は任意により決定すればよいが、ユーザが記録されたサンドストーム画面を目視して放送が録画されていないことを確認できるよう、記録時間を数分とすればよい。さらに、記録時間を数分とすることにより、ＨＤＤ１７に無駄な映像を録画することを防止することができる。上述した無放送判断プログラムの機能により、ユーザがＨＤＤ１７に録画予約した映像を再生すると、表示パネル１８にはサンドストーム画面が表示される。
【００３８】
（２）第一の実施の形態のまとめ
以上説明したように、第一の実施の形態でのディジタル放送対応テレビジョン１０は、ディジタル放送の録画予約をした際、マイコン１２ｂが録画予約したチャネルに放送が割り当てられていないと判断すると、録画予約をキャンセルしＨＤＤ１７にアナログ放送により生成したサンドストーム画面を記録させる。これにより、ユーザが放送が割り当てられていないチャネルを誤って録画予約した場合でも、録画したチャンネルの再生時に画面上でサンドストーム画面を表示して視覚的に放送が録画されていないことを表示する。そのため、ディジタル放送を録画予約して、再生した画面に映像が何も表示されていない場合に、ユーザがテレビジョン装置側の故障とユーザが誤解するのを防止することが可能となる。また本発明の構成では、チューナ部１１で受信する帯域を切替えサンドストーム画面を生成するので、ディジタル放送に完全に移行した後も本発明の機能を使用することが可能である。。
【００３９】
（２）第二の実施の形態
上述した第一の実施の形態では、サンドストーム画面をチューナ部１１によりアナログ放送から生成してＨＤＤ１７に録画させた。しかしながら、予め無放送判断画面を生成しておき、ＨＤＤ１７に記録させるものであってもよい。本発明の第二の実施の形態では、ＯＳＤ回路１２ｄに予め無放送判断画面のデータを記録しておく構成としている。これにより、チューナ部１１の構成を簡略化できるとともに、ディジタル放送のみを受信可能はチューナ部１１においても適応することが可能である。
【００４０】
図４は、第二の実施の形態でのＥＥＰＲＯＭ１５に記録される無放送表示プログラムのフローチャートである。第二の実施の形態での無放送表示プログラムでは、ステップＳ２５０までのフローは、図３のフローチャートのステップＳ１５０までの処理と同様であるためここでは省略し、ステップＳ２６０以降のフローの流れを説明する。以下に第二の実施の形態での無放送判断プログラムによるマイコン１２ｂの処理を説明する。
【００４１】
ステップＳ２５０にてマイコン１２ｂが参照した電子番組表により録画予約したチャネルに放送が割り当てられていない場合は、録画予約をキャンセルする（ステップＳ２５０）。さらに、ＯＳＤ回路１２ｄから無放送判断画面を構成する映像データを読み出し（ステップＳ２６０）、ＯＳＤ回路１２ｄからバッファ１５に出力するよう指示を出す（ステップＳ２７０）。バッファ１５はマイコン１２ｂから上記指示を受けて、無放送判断画面を圧縮しＨＤＤ１７に記録する。このとき録画される無放送判断画面は、図６と同様のサンドストーム画面としている。これはユーザがサンドストーム画面を目視することで、放送が録画されていないことを認識し易いようにするためである。何故なら、アナログ放送では放送が割り当てられていない画面はサンドストームが画面に表示されているため、ユーザはサンドストーム画面を目視することで暗黙の内に放送が録画されていないと認識することが可能となる。
【００４２】
また、ＨＤＤ１７に録画する無放送判断画面をサンドストーム画面ではなく文字列により表示させるものであってもよい。図５は画面に表示される第二の無放送判断画面を表す図である。同図より、無放送判断画面として文字列である「放送が録画がされていません」という文字列が表示される。これにより、ユーザは録画予約したチャネルに放送が割り当てられていないことを判断する。上述した無放送判断画面としての文字列は上述したものに限定されず、ユーザに放送が録画されていないことを確認させるものであればよい。その他の一例として「チューナ部のプリセットを再設定してください」、「放送がありません」等が挙げられる。
【００４３】
（４）第二の実施の形態のまとめ
以上説明したように、第二の実施の形態でのディジタル放送対応テレビジョン１０では、ユーザが放送が割り当てられていないチャネルを誤って録画した場合でも、再生時に画面上で無放送判断画面を表示して視覚的に放送が録画されていないことを表示することが可能であるとともに、以下に示す効果を得ることができる。無放送判断画面を表示するために予め映像データを記録しておき、制御部１２からの指示によりＨＤＤ１７に上記映像データを記録させるため、アナログ放送を受信してサンドストーム画面を生成する必要がない。そのため、チューナ部１１にはアナログ放送を受信するための構成を必要とせず、ディジタル放送のみを受信可能なテレビジョン装置においても適応することが可能である。
【００４４】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００４５】
【図１】ディジタル放送対応テレビジョンのブロック構成部である。
【図２】画面に表示される電子番組表の一例を表す図である
【図３】ＥＥＰＲＯＭに記録される無放送判断プログラムを表すフローチャートである。
【図４】第二の実施の形態でのＥＥＰＲＯＭに記録される無放送表示プログラムのフローチャートである。
【図５】画面に表示される第二の無放送判断画面を表す図である。
【図６】画面に表示されるサンドストーム画面を表す図である。
【符号の説明】
【００４６】
１０…ディジタル放送対応テレビジョン、１１…チューナ部、１１ａ…ディジタル放送受信部、１１ｂ…アナログ放送受信部、１１ｃ…切替え部、１２…制御部、１２ａ…リモコンＩ／Ｆ、１２ｂ…マイコン、１２ｃ…ＥＥＰＲＯＭ、１２ｄ…ＯＳＤ回路、１２ｅ…ＲＡＭ、１３…映像回路、１４…音声回路、１５…バッファ、１６…スピーカ、１７…ＨＤＤ、１８…表示パネル、１９…電源回路、２０…映像表示装置、２０ａ…バス、３０…リモコン装置、３０ａ１…チャンネルキー、４０…アンテナ
【図１】
2008042844.tif 000003
【図２】
2008042844.tif 000004
【図３】
2008042844.tif 000005
【図４】
2008042844.tif 000006
【図５】
2008042844.tif 000007
【図６】
2008042844.tif 000008